(57)【要約】【課題】ＬＥＤカラーランプを提供する。【解決手段】  ＬＥＤランプセット、蓄電池外箱、蓄電池外箱内に実装される電池、スイッチ及び制御器が備えられたＬＥＤカラーランプであって、上記電池が、制御器の電源端部に連接され、上記スイッチの一端が、電池の負極に連接され、他端が、制御器の信号入力端に連接され、上記ＬＥＤランプセットが、制御器の対応する出力端部に連接され、上記スイッチにより、キー信号が、制御器に伝送され、制御器が出力端部でＬＥＤランプセットの発光を制御する。本発明は、スイッチにより、キー信号が制御器に入力され、制御器が、その出力端部から、ＬＥＤランプに対して給電し、ＬＥＤカラーランプ全体の発光カラーが、制御器によって制御されるため、ＬＥＤランプを配列する必要がない。ＬＥＤカラーランプ全体の生産が、より簡単になり、生産効率が向上し、生産コストが低減される。【選択図】図１
2015002037.tif 000002
【特許請求の範囲】
【請求項１】
少なくとも一つのＬＥＤランプセット、蓄電池外箱、蓄電池外箱内に実装される電池、スイッチ及び制御器が備えられたＬＥＤカラーランプであって、
上記電池が、制御器の電源端部に連接され、上記スイッチのその一端が、電池の負極に連接され、もう一端が、制御器の信号入力端部に連接され、上記ＬＥＤランプセットが、制御器の対応する出力端部部に連接され、上記スイッチにより、キー信号が、制御器に伝送され、制御器が、出力端部部で、ＬＥＤランプセットの発光を制御することを特徴とするＬＥＤカラーランプ。
【請求項２】
上記蓄電池外箱は、箱本体と箱ふたからなり、上記箱本体の内部に、円形槽が形成され、その頂部に、円形孔が形成され、上記制御器が、箱本体の底部に固定され、上記スイッチが、円形孔内に実装され、上記電池が、円形槽内に実装され、上記箱ふたが、箱本体の上に覆われることを特徴とする請求項１に記載のＬＥＤカラーランプ。
【請求項３】
更に、ＵＳＢ充電インターフェースが備えられ、上記箱本体の一側に、四方形孔が形成され、上記ＵＳＢ充電インターフェースが、四方形孔内に実装されて、制御器の電源端に当接されることを特徴とする請求項２に記載のＬＥＤカラーランプ。
【請求項４】
上記ＬＥＤランプセットは、二本のエナメル線と、少なくとも一つのＬＥＤランプが備えられ、上記ＬＥＤランプが、二本のエナメル線の間に接続され、ＬＥＤランプとエナメル線との連接箇所において、透明媒体により、ＬＥＤランプとエナメル線とが、バブル状にパッケージされることを特徴とする請求項１乃至３の何れかの一つに記載のＬＥＤカラーランプ。
【請求項５】
上記エナメル線のその一端に、連接ソケットが設けてあり、上記制御器の出力端部に、連接プラグが連接され、上記連接ソケットと連接プラグとが連接されることにより、ＬＥＤランプセットと制御器との出力端部が連接され、上記連接プラグに、分岐ソケットが連接され、上記連接ソケットと分岐ソケットとが連接されることにより、ＬＥＤランプセットと制御器の出力端部とが連接され、上記エナメル線のもう一端に、連接プラグが設けてあり、上記ＬＥＤランプが、エナメル線上において、等間隔に分布し、上記透明媒体が、ガラスやエポキシ樹脂であることを特徴とする請求項４に記載のＬＥＤカラーランプ。
【発明の詳細な説明】
【技術分野】
【０００１】
本発明は、ＬＥＤカラーランプに関するものであり、さらに詳しくは、ＬＥＤランプ技術を利用したＬＥＤカラーランプに関するものである。
【背景技術】
【０００２】
既存のＬＥＤカラーランプは、多種類のカラーのＬＥＤランプを組み合せた構成からなるものであり、電源から、駆動回路を介して、給電されて、発光する構造のものが多い。このようなＬＥＤカラーランプは、ユーザーのニーズに対して、ある程度満足させることができるが、欠点がある。例えば、ＬＥＤランプの発光カラーが、ＬＥＤランプ自体の特性によって決められるので、ＬＥＤカラーランプ全体の生産が、複雑になって、生産コストが高くなる。また、ＬＥＤランプの間を電線によって連接されているので、ＬＥＤカラーランプ全体を保管する場合において、体積が大きくなって、運搬や保管に不利になる。さらに、ＬＥＤランプが、外部へ露出するため、運搬や使用の際、容易に損壊するという問題がある。
【０００３】
実用新案登録第３１４２００号公報（以下、「特許文献１」という。）には、単色ＬＥＤ、白色ＬＥＤ、フルカラーＬＥＤおよび関連のＲＧＢ（赤、緑、青の三原色）の組み合わせを備えた発光部材が記載されている。しかし、特許文献１には、発光カラーの変化制御を実現するような点については具体的な開示がない。
【発明の概要】
【発明が解決しようとする課題】
【０００４】
本発明の課題は、数種類ものＬＥＤランプを配列することなく、発光カラーの変化制御が可能なＬＥＤカラーランプを提供することにあり、生産プロセスが簡略であり、生産効率の高いＬＥＤカラーランプを提供することにある。
【課題を解決するための手段】
【０００５】
そこで、本願発明者は、前記の本発明の課題を解決するため、鋭意検討を重ねた結果、後記するように、ＬＥＤカラーランプ全体の発光カラーを制御するための制御器を給電側に設けることにより、前記課題を解決できることに着目し、かかる知見に基いて本願発明に想到するに至った。
【０００６】
かくして、本発明によれば、ＬＥＤカラーランプであり、少なくとも一つのＬＥＤランプセット、蓄電池外箱、蓄電池外箱内、コに実装される電池、スイッチ及び制御器が備えられたＬＥＤカラーランプであって、上記電池が、制御器の電源端部に連接され、上記スイッチのその一端が、電池の負極に連接され、もう一端が、制御器の信号入力端部に連接され、上記ＬＥＤランプセットが、制御器の対応する出力端部部に連接され、上記スイッチにより、キー信号が、制御器に伝送され、制御器が、出力端部部で、ＬＥＤランプセットの発光を制御することを特徴とするＬＥＤカラーランプ
が提供される。
【０００７】
また、本発明によれば、上記蓄電池外箱が、箱本体と箱ふたからなり、上記箱本体内部に、円形槽が形成され、その頂部に、円形孔が形成され、上記制御器が、箱本体の底部に固定され、上記スイッチが、円形孔内に実装され、上記電池が、円形槽内に実装され、上記箱ふたが、箱本体上に覆われることを特徴とするＬＥＤカラーランプが提供される。これにより、電池やスイッチ及び制御器が、ともに、蓄電池外箱内に実装され、ＬＥＤカラーランプ全体の構成が、より緊密になる。
【０００８】
本発明によれば、更に、ＵＳＢ充電インターフェースが備えられ、上記箱本体の一側に、四方形孔が形成され、上記ＵＳＢ充電インターフェースが、四方形孔内に実装されて、制御器の電源端に当接されることを特徴とするＬＥＤカラーランプが提供される。
ＵＳＢ充電インターフェースにより、直接に、外部電源が連接されて、ＬＥＤカラーランプ全体に対して給電することや、電池に対して充電することができる。
【０００９】
本発明によれば、上記ＬＥＤランプセットは、二本のエナメル線と、少なくとも、一つのＬＥＤランプが備えられ、上記ＬＥＤランプが、二本のエナメル線の間に接続され、ＬＥＤランプとエナメル線との連接箇所において、透明媒体により、ＬＥＤランプとエナメル線とが、バブル状にパッケージされることを特徴とするＬＥＤカラーランプが提供される。
【００１０】
透明媒体でＬＥＤランプとエナメル線とを被覆することにより、ＬＥＤランプが、エナメル線内に位置して、容易に損壊することなく、同時に、エナメル線を導線として、導線と外部とが、絶縁され、また、エナメル線が、耐折性があり、ＬＥＤカラーランプ全体を巻くことができ、便利に保管できる。
【００１１】
本発明によれば、上記エナメル線のその一端に、連接ソケットがあり、上記制御器の出力端部に、連接プラグがあり、上記連接ソケットと連接プラグとを連接することにより、ＬＥＤランプセットと制御器との出力端部が連接され、ＬＥＤランプセットと制御器とが、素早く接合されて、便利に実装される。
【００１２】
上記連接プラグに、分岐ソケットが連接され、上記連接ソケットと分岐ソケットとが連接されることにより、ＬＥＤランプセットと制御器との出力端部が連接され、分岐ソケットを利用して、より多いＬＥＤランプセットが連接されることができ、多数のＬＥＤランプセットを同期に制御することが実現される。
【００１３】
上記エナメル線のもう一端に、連接プラグがあり、もう一つのＬＥＤランプセットが接続され、ＬＥＤカラーランプのレイアウトの範囲が広くなる。
【００１４】
上記ＬＥＤランプは、エナメル線に、等間隔に分布され、ＬＥＤカラーランプ全体の発光が、均一になる。
【００１５】
上記透明媒体は、ガラスやエポキシ樹脂で、ＬＥＤランプを覆って保護する時、その発光に影響しない。
【００１６】
なお、本発明の説明において、「ＬＥＤランプセット」とは、具体例を図１及び図３に示すように、複数のＬＥＤランプを連接手段で連接した構成体を意味する。
【発明の効果】
【００１７】
既存の技術に比較すると、本発明は、キー信号がスイッチを介して制御器に入力され、制御器が、その出力端部を介してＬＥＤランプに給電し、ＬＥＤカラーランプ全体の発光カラーが、制御器によって制御されるため、ＬＥＤランプを配列することを必要とすることなく、ＬＥＤカラーランプのカラー変化制御を実現できる。また、ＬＥＤカラーランプ全体の生産プロセスがより簡略になり、生産効率が向上し、生産コストを低減することができる。同時に、本発明に係るＬＥＤランプセットは、エナメル線で連接し、連接箇所において、透明媒体で、ＬＥＤランプをパッケージするため、エナメル線の耐折性と絶縁特性により、ＬＥＤカラーランプ全体の運搬や保管が便利になり、そして、ＬＥＤランプが保護されて容易に損壊するようなことがない。
【発明を実施するための最良の形態】
【００１８】
以下、図面を参照しながら、本発明の特徴や技術内容について、詳しく説明するが、それらの図面等は、参考や説明のためであり、本発明は、それによって限定されるものではない。
【００１９】
図１〜２のように、本発明に係るＬＥＤカラーランプは、三つのＬＥＤランプセット１と蓄電池外箱２、電池３、スイッチ４、制御器５及びＵＳＢ充電インターフェース６が備えられたものである。上記蓄電池外箱２は、箱本体２１と箱ふた２２とが備えられ、上記箱本体２１の内部に、円形槽２３が形成され、その頂部に、円形孔２４が形成され、その一側に、四方形孔２５が形成される。上記箱ふた２２が、箱本体２１の上に覆われ、上記制御器５は、箱本体２１の底部に固定され、上記電池３が、円形槽２３内に実装されて、制御器５の電源端部に連接される。上記スイッチ４が、円形孔２４内に実装され、その一端が、電池３の負極に連接され、もう一端が、制御器５の信号入力端部に連接される。上記ＬＥＤランプセット１が、制御器５の対応する出力端部に連接され、上記スイッチ４が、キー信号を制御器５に伝送し、制御器５が、その出力端部で、ＬＥＤランプセット１の発光を制御する。上記ＵＳＢ充電インターフェース６が、四方形孔２５内に実装され、制御器５の電源端に当接され、ＵＳＢ充電インターフェース６で、直接に、外部電源に連接されて、ＬＥＤカラーランプ全体に対して給電し、或いは、電池に対して充電することができる。
【００２０】
図３のように、本発明に係るＬＥＤカラーランプのＬＥＤランプセット１は、二本のエナメル線１１、１２と少なくとも一つのＬＥＤランプ１３があり、上記ＬＥＤランプ１３が、二本のエナメル線１１、１２の間に接続され、エナメル線１１、１２の上に等間隔に分布し、ＬＥＤランプ１３とエナメル線１１、１２との連接箇所において、ガラスやエポキシ樹脂等の透明媒体１４により、ＬＥＤランプ１３とエナメル線１１、１２とが、バブル状にパッケージされ、透明媒体１４でＬＥＤランプ１３とエナメル線１１、１２とをパッケージすることにより、ＬＥＤランプが保護されて、その発光に影響しなく、また、エナメル線を導線とするため、導線と外部とが、絶縁になり、エナメル線の耐折り性により、便利にＬＥＤカラーランプ全体を保管できる。ＬＥＤランプセット１と制御器５とを、素早く接合でき、便利に実装でき、上記エナメル線１１、１２のその一端に、連接ソケット１５がああり、上記制御器５の出力端部に、連接プラグ７が連接され、上記連接ソケット１５と連接プラグ７とが連接されることにより、ＬＥＤランプセット１と制御器５との出力端部が連接される。本発明によれば、エナメル線１１、１２のもう一端に、連接プラグ１６があり、他に、もう一つのＬＥＤランプセットを接続でき、ＬＥＤカラーランプのレイアウトの範囲がより広くなる。
【００２１】
図４のように、本発明によれば、上記連接プラグ７に、分岐ソケット８が連接され、上記連接ソケット１５と分岐ソケット８とが連接されることにより、ＬＥＤランプセット１と制御器５との出力端部が連接され、分岐ソケット８により、より多いＬＥＤランプセットが連接され、多数のＬＥＤランプセットを同期に制御することを実現できる。
【００２２】
図５のように、本発明に係るＬＥＤカラーランプの回路は、電池正極が、チップのＶＤＤ端に連接され、ぞの負極が、チップのＶＳＳ端に連接され、チップ全体に対して、給電し、スイッチが、電池負極とチップとのＳＷ端に連接され、電池の正極が、それぞれ、三方ＬＥＤランプの陽極に連接され、チップのＢＬ端とＧＬ端及びＲＬ端が、それぞれ、対応するＬＥＤランプの陰極に連接され、スイッチにより、信号が、チップに入力され、チップにより、ＢＬ端とＧＬ端及びＲＬ端に対して、三方ＬＥＤランプに給電することを制御し、三方ＬＥＤランプが、チップに内蔵されたルールに従って発光する。
【００２３】
本発明によれば、ＬＥＤカラーランプの発光ルールは、チップの内部にセットされ、スイッチを操作して、ＬＥＤカラーランプの点滅モードが選ばれる。ＬＥＤカラーランプ全体に対して給電する時、ＬＥＤランプが点灯しないが、スイッチを一回押すと、ＬＥＤランプが、順に迅速に点滅し、スイッチを二回押すと、ＬＥＤランプが、順に緩慢に点滅し、スイッチを三回押すと、ＬＥＤランプが、七彩に点滅し、スイッチを四回押すと、ＬＥＤランプが消灯し、これにより、点滅のループが形成される。その中、七彩に点滅するに、１２秒が必要になり、そのルールは、単灯が、少しずつ暗くなるループを２回繰り返し、カラーの順番は、赤緑紺、緑紺、紺、赤緑紺、赤緑、赤、赤緑紺で、少しずつ明るくなって少しずつ暗くなるループを２回繰り返し、カラーの順番は、：赤、赤緑、赤緑紺、緑紺、紺、赤で、単点滅ループを４回繰り返し、カラー順番は、赤、緑、紺、赤で、双点滅ループを４回繰り返し、カラー順番は、赤緑、緑紺、赤紺、赤緑である。
【００２４】
以上は、本発明のより良い実施例であり、本発明は、それらによって制限されることが無く、本発明に係わる特許請求の範囲や明細書の内容に基づいて行った等価の変更や修正は、全てが、本発明の特許請求の範囲内に含まれる。
【図面の簡単な説明】
【００２５】
【図１】本発明の一実施形態によるＬＥＤカラーランプの全体構成を示す斜視図である。
【図２】図１のＬＥＤカラーランプの構成分解図である。
【図３】図１のＬＥＤランプセットの構成図である。
【図４】図１のＬＥＤカラーランプに分岐ソケットが接続される常態を示す構成図である。
【図５】本発明の一実施形態によるＬＥＤカラーランプの回路構成図である。
【符号の説明】
【００２６】
１  灯セット
１１、１２  エナメル線
１３  ＬＥＤランプ
１４  透明媒体
１５  連接ソケット
１６  連接プラグ
２  蓄電池外箱
２１  箱本体
２２  箱ふた
２３  円形槽
２４  円形孔
２５  四方形孔
３  電池
４  スイッチ
５  制御器
６  ＵＳＢ充電インターフェース
７  連接プラグ
８  分岐ソケット
【図１】
2015002037.tif 000003
【図２】
2015002037.tif 000004
【図３】
2015002037.tif 000005
【図４】
2015002037.tif 000006
【図５】
2015002037.tif 000007